(57)【要約】【課題】複製前原稿への印刷の自由度に優れ、複製前原稿の種類に応じて加工された複製原稿が得られる画像処理装置を提供する。【解決手段】画像処理装置は、原稿から原稿データを読み取る原稿読取部１１２と、原稿中のＲＦＩＤタグの有無を検出する無線タグ検出部１１８と、無線タグ検出部１１８が原稿中にＲＦＩＤタグを検出したとき、ＲＦＩＤタグに記憶されているＩＤデータを無線通信により読み出す無線タグ読出部１１６とを備える。画像処理装置は、無線タグ読出部１１６が読み出したＩＤデータを参照し、原稿の種類を判別し、原稿データに原稿の種類に対応する画像データを付加し、出力データを作成する制御部１１７と、出力データを出力するプリンタ１１４とを備える。【選択図】      図２
2006115135.tif 000002
【特許請求の範囲】
【請求項１】
原稿から原稿データを読み取る原稿読取部と、
前記原稿中のＲＦＩＤタグのＩＤデータを無線通信により読み出すＲＦＩＤ読出部と、
前記ＲＦＩＤ読出部が読み出した前記ＩＤデータを参照し、前記原稿の種類を判別し、前記原稿データに前記原稿の種類に対応する画像データを付加し、出力データを作成する原稿データ処理部と、
前記出力データを出力する出力部と、
を備えることを特徴とする画像処理装置。
【請求項２】
請求項１に記載の画像処理装置において、
前記原稿データ処理部は、前記ＩＤデータ中に前記原稿が原本であることを示す情報が含まれている場合には、前記原稿データに複製である旨を示す画像データを付加するように構成されていることを特徴とする画像処理装置。
【請求項３】
請求項１または２に記載の画像処理装置において、
前記原稿データ処理部は、前記ＩＤデータおよび前記ＩＤデータに対応する画像データを含む画像情報を取得し、前記ＩＤデータと、前記画像情報とを参照し、前記ＩＤデータに対応する画像データを判断し、前記原稿データに前記画像データを付加するように構成されていることを特徴とする画像処理装置。
【請求項４】
請求項３に記載の画像処理装置において、
前記画像情報を記憶する画像情報記憶部をさらに備え、
前記原稿データ処理部は、
前記画像情報記憶部から前記画像情報を取得する画像情報取得部と、
前記ＩＤデータおよび前記画像情報を参照し、前記ＩＤデータに対応する画像データを判断する画像データ判断部と、
前記原稿データに前記画像データを付加し、出力データを作成する出力データ作成部と、
を備えることを特徴とする画像処理装置。
【請求項５】
請求項３に記載の画像処理装置において、
外部ネットワークに接続する通信部をさらに備え、
前記原稿データ処理部は、
前記通信部を介して前記外部ネットワークから前記画像情報を取得する画像情報取得部と、
前記ＩＤデータおよび前記画像情報を参照し、前記ＩＤデータに対応する画像データを判断する画像データ判断部と、
前記原稿データに前記画像データを付加し、出力データを作成する出力データ作成部と、
を備えることを特徴とする画像処理装置。
【請求項６】
請求項１乃至５いずれかに記載の画像処理装置において、
複数の前記原稿を格納可能に構成されている原稿格納部をさらに備え、
前記ＲＦＩＤ読出部は、前記原稿格納部内の前記原稿中の前記ＲＦＩＤタグの前記ＩＤデータを読み取るように構成されている
ことを特徴とする画像処理装置。
【発明の詳細な説明】
【技術分野】
【０００１】
本発明は、画像処理装置に関する。
【背景技術】
【０００２】
従来の機密文書や紙幣などの偽造防止のための画像処理装置としては、例えば特許文献１に記載されたものがある。この画像処理装置の概略構成を示す機能ブロック図を図１０に示す。この画像処理装置は、カラー原稿を画像信号に変換して読み取りデジタル信号として出力するイメージスキャナ１０１と、イメージスキャナ１０１から出力された画像情報に対して所定の画像処理を実行する画像処理回路１０２と、画像処理回路１０２から出力される画像信号に基づいて記録紙に対しカラー画像形成を実行するレーザプリンタ１０３とを備える。この画像処理装置は、画像パターンや英数字等により機種や機番等を特定できる識別情報を発生する識別情報発生手段１０４と、識別情報発生手段１０４からの識別情報を画像情報に付加するため画像処理回路１０２に出力する識別情報付加手段１０５とを備える。
【０００３】
この画像処理装置によれば、識別情報から出力した装置の機種や機番を特定して偽造複写物流出時における追跡捜査を可能にするとともに、出力画像を著しく劣化させないようにすることができる旨、特許文献１に記載されている。また、この画像処理装置によれば、違法原稿複写時にその出力画像を確実に使用不可能にすること、および違法複写行為であることをオペレータに確実に認知させることができる旨、特許文献１に記載されている。
【０００４】
従来の機密文書や紙幣などの偽造防止のための印刷物認証システムとしては、例えば特許文献２に記載されたものもある。この印刷物認証システムの全体構成を図１１に示す。この印刷物認証システム１は、印刷物へ識別情報を埋め込む識別情報埋め込み装置２と、印刷物から識別情報を抽出して照合する識別情報認識装置３から構成されている。識別情報埋め込み装置２は、画像入力部１１、識別情報埋め込み部１２、カラー画像出力部１３を具備している。識別情報認識装置３は、識別情報を抽出する識別情報抽出装置４と、抽出された識別情報を予め記憶されている基準識別情報と照合する識別情報照合装置５とを具備している。
【０００５】
この印刷物認証システムによれば、印刷物へ識別情報を埋め込む方法と、印刷物から識別情報を抽出する方法とを互いに異なる方法とすることによって、印刷物に埋め込まれた識別情報の不正な読み取りと印刷物の偽造、変造を防止することができる旨、特許文献２に記載されている。
【０００６】
【特許文献１】特開平６−７０１３４号公報
【特許文献２】特開２００２−１５７６２６号公報
【発明の開示】
【発明が解決しようとする課題】
【０００７】
しかしながら、上記文献記載の従来技術は、以下の点で改善の余地を有していた。
【０００８】
第一に、特許文献１および特許文献２に記載の画像処理装置によれば、原稿への印刷の自由度が低下する。すなわち、原稿の紙面に本来不要な数字、バーコード、マス目模様などの識別情報を印刷することになるため、これらの識別情報を印刷した箇所には、他の文字や図形などを印刷することが困難である。このため、原稿への印刷の自由度が低下する。
【０００９】
第二に、特許文献１および特許文献２に記載の画像処理装置によれば、原稿の表面に汚れが付着した場合に、識別情報の判別が困難となりやすい。すなわち、原稿の紙面に印刷された数字、バーコード、マス目模様などの識別情報を用いているため、これらの識別情報の上に汚れが付着すると、原稿の識別情報の判別が困難になったり、誤った識別をしたりしやすい。
【００１０】
本発明は上記事情に鑑みてなされたものであり、複製前原稿への印刷の自由度に優れ、複製前原稿の種類に応じて加工された複製原稿が得られる画像処理装置を提供する。
【課題を解決するための手段】
【００１１】
本発明によれば、
原稿から原稿データを読み取る原稿読取部と、
前記原稿中のＲＦＩＤタグのＩＤデータを無線通信により読み出すＲＦＩＤ読出部と、
前記ＲＦＩＤ読出部が読み出した前記ＩＤデータを参照し、前記原稿の種類を判別し、前記原稿データに前記原稿の種類に対応する画像データを付加し、出力データを作成する原稿データ処理部と、
前記出力データを出力する出力部と、
を備えることを特徴とする画像処理装置が提供される。
【００１２】
この構成によれば、ＲＦＩＤ読出部が読み出したＩＤデータを参照することにより、読み取まれた複製前原稿の種類を容易に判別できる。このため、読み取まれた複製前原稿の原稿データに複製前原稿の種類に対応する画像データを付加して出力することにより、複製前原稿の種類に応じて加工された複製原稿を出力できる。
【００１３】
また、この構成によれば、ＲＦＩＤタグに記憶されているＩＤデータを無線通信により読み出すＲＦＩＤ読出部を備えるため、複製前原稿の紙面には本来不要な識別情報を印刷する必要がない。このため、複製前原稿の紙面には自由に文字や図形などを印刷することができる。
【００１４】
よって、この構成によれば、複製前原稿への印刷の自由度に優れ、複製前原稿の種類に応じて加工された複製原稿を出力できる画像処理装置が得られる。
【発明の効果】
【００１５】
本発明によれば、特定の構成の原稿データ処理部を備えるため、複製前原稿への印刷の自由度に優れ、複製前原稿の種類に応じて加工された複製原稿を出力できる画像処理装置が提供される。
【発明を実施するための最良の形態】
【００１６】
本発明において、原稿データ処理部は、ＩＤデータ中に原稿が原本であることを示す情報が含まれている場合には、原稿データに複製である旨を示す画像データを付加するように構成することができる。
【００１７】
この構成によれば、画像処理装置のオペレータは、複製原稿を肉眼で観察することにより、複製原稿が原本の複製であることを容易に判別することができる。このため、原本である複製前原稿と、複製物である複製原稿とを容易に区別することができ、原稿の複製管理が容易になる。
【００１８】
本発明において、原稿データ処理部は、ＩＤデータおよびＩＤデータに対応する画像データを含む画像情報を取得し、ＩＤデータと、画像情報とを参照し、ＩＤデータに対応する画像データを判断し、原稿データに画像データを付加するように構成することができる。
【００１９】
この構成によれば、ＩＤデータと、ＩＤデータおよびＩＤデータに対応する画像データを含む画像情報とを参照することにより、給紙トレイにセットされている複製前原稿データのＩＤデータに対応する画像データを原稿データに付加することができる。このため、複製前原稿の種類に応じて加工された複製原稿を出力することが容易になる。
【００２０】
本発明において、画像処理装置は、画像情報を記憶する画像情報記憶部をさらに備えてもよい。このとき、原稿データ処理部は、画像情報記憶部から画像情報を取得する画像情報取得部と、ＩＤデータおよび画像情報を参照し、ＩＤデータに対応する画像データを判断する画像データ判断部と、原稿データに画像データを付加し、出力データを作成する出力データ作成部とを備えてもよい。
【００２１】
この構成によれば、画像処理装置は、画像情報を記憶する画像情報記憶部をさらに備えるため、複製前原稿の種類に応じて加工された複製原稿をスタンドアローンで出力することができる。このため、画像処理装置のセキュリティ性を向上することができる。
【００２２】
本発明において、画像処理装置は、外部ネットワークに接続する通信部をさらに備えてもよい。このとき、原稿データ処理部は、通信部を介して外部ネットワークから画像情報を取得する画像情報取得部と、ＩＤデータおよび画像情報を参照し、ＩＤデータに対応する画像データを判断する画像データ判断部と、原稿データに画像データを付加し、出力データを作成する出力データ作成部とを備えてもよい。
【００２３】
この構成によれば、画像処理装置は、外部ネットワークに接続する通信部をさらに備えるため、外部ネットワークから取得した画像データを、複製前原稿の種類に応じて原稿データに付加することができる。このため、画像処理装置の運用の柔軟性を向上することができる。
【００２４】
本発明において、画像処理装置は、複数の原稿を格納可能に構成されている原稿格納部をさらに備えてもよい。このとき、ＲＦＩＤ読出部は、原稿格納部内の原稿中のＲＦＩＤタグのＩＤデータを読み取るように構成することができる。
【００２５】
この構成によれば、画像処理装置は、複数の原稿を格納可能に構成されている原稿格納部をさらに備えるため、複数の原稿のＲＦＩＤタグのＩＤデータをあらかじめ読み取んでおき、あらかじめ対応する複数の画像データをメモリ内にロードして準備するなどして、複数の原稿の処理を迅速化することができる。また、この場合、ＲＦＩＤ読出部は、原稿格納部内から原稿読取部に移送された原稿のＲＦＩＤタグのＩＤデータを読み出さなくなるため、読み出されなくなったＲＦＩＤタグのＩＤデータにより、読取中の原稿のＩＤデータを容易に判別することができる。
【００２６】
以下、本発明の実施の形態について、図面を用いて説明する。尚、すべての図面において、同様な構成要素には同様の符号を付し、適宜説明を省略する。
【００２７】
<実施形態１>
図１は、実施の形態に係る画像処理装置の構成を模式的に示した機能ブロック図である。画像処理装置１１０は、例えばネットワークファクシミリ装置、ＭＦＰ（Ｍｕｌｔｉ  Ｆｕｎｃｔｉｏｎａｌ  Ｐｅｒｉｐｈｅｒａｌ）などである。画像処理装置１１０は、ネットワーク１４１を介して複数のサーバ１４３に接続される。
【００２８】
画像処理装置１１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウェアとソフトウェアの任意の組合せによって実現される。そして、その実現方法、装置には、いろいろな変形例があることは、当業者には理解されるところである。すなわち、本明細書において説明する各図は、ハードウェア単位の構成ではなく、機能単位のブロックを示している。
【００２９】
本実施形態の画像処理装置１１０は、原稿から原稿データを読み取る原稿読取部１１２を備える。画像処理装置１１０は、原稿中のＲＦＩＤタグの有無を検出する無線タグ検出部１１８（ＲＦＩＤ検出部）を備える。画像処理装置１１０は、無線タグ検出部１１８が原稿中にＲＦＩＤタグを検出したとき、ＲＦＩＤタグに記憶されているＩＤデータを無線通信により読み出す無線タグ読出部１１６（ＲＦＩＤ読出部）を備える。
【００３０】
画像処理装置１１０は、無線タグ読出部１１６が読み出したＩＤデータを参照し、原稿の種類を判別し、原稿データに原稿の種類に対応する画像データを付加し、出力データを作成する制御部１１７（原稿データ処理部）を備える。画像処理装置１１０は、出力データを出力するプリンタ１１４、通信部１１１、インターフェース部１２１（いずれも出力部として機能し得る）を備える。
【００３１】
画像処理装置１１０は、他の通信端末装置と複数の通信方式で通信が可能である。画像処理装置１１０は、例えばＦＡＸ（ファックスあるいはファクシミリ）端末１３１、Ｅ−ｍａｉｌ（Ｅメールまたは電子メール）端末１３３およびＩ−ＦＡＸ（インターネットファックス）端末１３５との通信が可能である。ＦＡＸ端末１３１は、ＰＳＴＮ（公衆交換電話網）を通じて通信する他のＧ３ファックス端末である。Ｅ−ｍａｉｌ端末１３３およびＩ−ＦＡＸ端末１３５は、インターネットなどのネットワークを介して通信する他のコンピュータおよび他のインターネットファックス端末などである。画像処理装置１１０は、これらのサーバ１４３（ファイルサーバ）、ネットワーク１４１、ＦＡＸ端末１３１、Ｅ−ｍａｉｌ端末１３３、Ｉ−ＦＡＸ端末１３５などとともに、画像処理システム１００を構築している。
【００３２】
より詳細に説明すると、画像処理装置１１０は、通信部１１１と、表示部１１５と、制御部１１７と、記憶装置１１９と、操作部１１３と、インターフェース部１２１と、原稿読取部１１２と、プリンタ１１４と、無線タグ検出部１１８と、無線タグ読出部１１６とを備える。なお、図１において、本発明の本質に関わらない部分の構成については、省略してある。
【００３３】
通信部１１１（出力部）は、ＦＡＸ端末１３１、Ｅ−ｍａｉｌ端末１３３およびＩ−ＦＡＸ端末１３５などと通信を行う。操作部１１３は、例えば操作ボタン、スイッチ、レバー、キーボード、タッチパネルなどである。表示部１１５は、各種情報表示、操作画面表示であり、画像処理装置１１０の動作や状態表示などを行う。表示部１１５は、例えばランプ、ＬＥＤ、ＣＲＴモニタ、液晶ディスプレイなどである。
【００３４】
制御部１１７は、画像処理装置１１０の各種要素とともに装置全体を制御する。記憶装置１１９（画像情報記憶部）は、電話帳などの情報を記憶する記憶領域を含んでもよい。インターフェース部１２１（出力部）は、ネットワーク１４１を介して接続された複数のサーバ１４３（画像情報記憶部）との通信を行う。
【００３５】
なお、ネットワーク１４１は、ファクシミリ方式、電子メール方式、あるいはその他の方式のいずれによりデータ通信を行うネットワークであってもよい。すなわち、ネットワーク１４１は、ＰＳＴＮ（公衆交換電話網）、ＬＡＮ、ＷＡＮ、あるいは他の通信網のいずれであってもよい。
【００３６】
図２は、図１の画像処置装置１１０の制御部１１７（原稿データ処理部）を詳細に示す機能ブロック図である。制御部１１７は、画像情報を記憶する記憶装置１１９（画像情報記憶部）からＩＤテーブル（画像情報）を取得するＩＤテーブル取得部２０５（画像情報取得部）を備える。ＩＤテーブル取得部２０５は、外部ネットワーク１４１に接続するインターフェース部１２１（通信部）を介してサーバ１４３（画像情報記憶部）から画像情報を取得することもできる。
【００３７】
制御部１１７は、無線タグ検出部１１８に対して２．４５ＧＨｚ程度の電磁波によりＲＦＩＤタグの有無の問い合わせを行うＩＤ問合部２０１を備える。制御部１１７は、無線タグ読出部１１６から２．４５ＧＨｚ程度の電磁波によりＩＤデータを取得するＩＤ取得部２０３を備える。制御部１１７は、ＩＤ取得部２０３が取得したＩＤデータおよびＩＤテーブル取得部２０５が取得したＩＤテーブルを参照し、ＩＤデータに対応する画像データを判断する文書情報判断部２０７（画像データ判断部）を備える。制御部１１７は、原稿データに画像データを付加し、出力データを作成する画像処理部５００（出力データ作成部）を備える。制御部１１７は、出力データを出力することの可否を判断するセキュリティ処理部５０２を備える。
【００３８】
すなわち、制御部１１７は、ＩＤデータおよびＩＤデータに対応する画像データを含むＩＤテーブルを取得し、ＩＤデータと、ＩＤテーブルとを参照し、ＩＤデータに対応する画像データを判断し、原稿データに画像データを付加するように構成されている。また、制御部１１７は、ＩＤデータ中に原稿が原本であることを示す情報が含まれている場合には、原稿データに複製である旨を示す画像データを付加するように構成されている。
【００３９】
図３は、本実施の形態に係る画像処理装置の原稿トレイの構成を模式的に示した概念図である。
本実施形態の画像処理装置１１０は、複数の原稿３０１（図３では、作図上１枚しか示さない）を格納可能に構成されている原稿トレイ３００（原稿格納部）を備える。無線タグ検出部１１８は、原稿トレイ３００内の原稿３０１中のＲＦＩＤタグ４００の有無を２．４５ＧＨｚ程度の電磁波により検出する。無線タグ読出部１１６は、原稿トレイ３００内の原稿３０１中のＲＦＩＤタグ４００のＩＤデータを２．４５ＧＨｚ程度の電磁波により読み取る。原稿読取部１１２は、原稿３０１の表面をスキャンして、「２０ＸＸ年新製品開発プロジェクト」の文字を含む原稿画像データを取得する。ＲＦＩＤタグ４００は、紙媒体からなる原稿３０１内部に設けられており、原稿３０１のうちＲＦＩＤタグ４００の設けられている箇所の表面には、自由に文字や図形が印刷可能である。
【００４０】
図４は、実施の形態に用いるＲＦＩＤタグの構成を模式的に示した機能ブロック図である。
本実施形態に用いるＲＦＩＤタグ４００には、アナログ回路とデジタル回路がコンパクトに詰め込まれており、電池なしで無線信号の読み取りおよび発信を行うことができる。ＲＦＩＤタグ４００のサイズは、平面サイズが約０．４ｍｍ×０．４ｍｍであり、回路構成はきわめてシンプルである。
【００４１】
ＲＦＩＤタグ４００は、アンテナ４０１を備える。ＲＦＩＤタグ４００は、アンテナ４０１が受信した２．４５ＧＨｚ程度の電磁波（マイクロ波）のエネルギを直流電源電圧に変換する整流回路４０３を備える。整流回路４０３は、ＲＦ回路としても機能して電圧波形を電磁波に変換してアンテナ４０１から発信させることもできる。
【００４２】
ＲＦＩＤタグ４００は、アンテナが受信した電磁波が変換された直流電源電圧で動作する制御部４０７を備える。制御部４０７は、１２８ビットの識別番号（ＩＤデータ）を格納した１２８ｂｉｔＲＯＭ４１７（メモリ）を内蔵している。この１２８ｂｉｔＲＯＭのＩＤデータが１０ｂｉｔ制御レジスタ４１３とクロック回路４１１とを利用して、整流回路４０３およびアンテナ４０１を介して、１ビットずつ読み取り装置（リーダ）である無線タグ検出部１１８および無線タグ読出部１１６に送信される。
【００４３】
他にも、ＲＦＩＤタグ４００は、アンテナが受信した電磁波を変換した過大な直流電源電圧の上昇を抑制してＣＭＯＳトランジスタの破壊を防ぐ電圧リミッタ４０５を備える。ＲＦＩＤタグ４００は、クロック波形を復調するためのクロック回路４１１を備える。ＲＦＩＤタグ４００は、回路動作の始まりと終わりを制御するパワーＯＮリセット回路４０９を備える。
【００４４】
また、ＲＦＩＤタグ４００は、セキュリティを考慮して符号化（暗号化）した状態で無線通信を行う場合に対応するために、圧縮されたデータの復元や、暗号の解読などを行なうデコーダ４１５を制御部４０７中に備える。なお、このデコーダ４１５は、データを一定の規則に基づいて符号化するエンコーダとしても機能する。
【００４５】
さらに、電磁波エネルギを利用して動作するＲＦＩＤタグ４００は、アンテナ４０１が受信した電磁波を変換した直流電源電圧を電荷として蓄積しておく電源用コンデンサ４１９（平滑コンデンサ）を備える。ＲＦＩＤタグ４００は、回路構成がシンプルであるため、電源用コンデンサ４１９の容量は約１００ｐＦである。
【００４６】
図５は、実施の形態に係る画像処理装置の画像処理部およびセキュリティ処理部の構成を模式的に示した機能ブロック図である。本実施形態に用いる画像処理部５００は、原稿読取部１１２から原稿データを取得する原稿データ取得部５０７を備える。画像処理部５００は、文書情報判断部２０７から読み取んだ原稿のＩＤデータに対応する画像データなどの情報を含む文書情報を取得する文書情報取得部５０１を備える。
【００４７】
画像処理部５００は、文書情報に含まれる画像データの情報に基づいて、記憶装置１１９から原稿データに付加すべき画像データを取得する付加画像データ取得部５０３を備える。画像処理部５００は、文書情報に含まれる画像データの情報に基づいて、インターフェース部１２１およびネットワーク１４１を介して、サーバ１４３から原稿データに付加すべき画像データを取得することもできる。
【００４８】
画像処理部５００は、原稿データ取得部５０７が取得した原稿データに、付加画像データ取得部５０３が取得した画像データを付加して、出力データを作成する画像データ加工部５０５を備える。画像データ加工部５０５は、原稿データ取得部５０７が取得した原稿データに、文書情報取得部５０１が取得した文書情報の一部（原稿の出所やセキュリティ情報など）を付加して、出力データを作成することもできる。
【００４９】
セキュリティ処理部５０２は、文書情報に基づいて、記憶装置１１９から原稿データのセキュリティデータを取得するセキュリティデータ取得部５１３を備える。セキュリティデータ取得部５１３は、文書情報に基づいて、インターフェース部１２１およびネットワーク１４１を介して、サーバ１４３から原稿データのセキュリティデータを取得することもできる。
【００５０】
セキュリティ処理部５０２は、セキュリティデータに基づいて、原稿データを加工してなる出力データのセキュリティレベルを判断するセキュリティ判断部５０９を備える。セキュリティ処理部５０２は、出力データのセキュリティレベルに応じて、出力データの出力の可否を判断する出力判断部５１１を備える。出力判断部５１１が出力可と判断した出力データは、通信部１１１を介して、外部の通信端末（ＦＡＸ端末１３１、Ｅ−ｍａｉｌ端末１３３、Ｉ−ＦＡＸ端末１３５など）に送信されるか、プリンタ１１４にて印刷される。
【００５１】
以下、実施形態の画像処理装置の動作について説明する。
図６は、実施の形態に係る画像処理装置の動作を説明するためのフローチャートである。
オペレータが画像処理装置１１０の原稿トレイ３００内に原稿３０１をセットし、操作部１１３に設けられている複写スタートボタンを押すと、一連のフローがスタートする。まず、制御部１１７が原稿トレイ３００内に原稿３０１がセットされているか、センサなどを介して確認する（Ｓ１０１）。原稿トレイ３００内に原稿３０１がセットされていない場合には、一連のフローを終了する。この際、表示部１１５に、原稿トレイ３００内に原稿３０１をセットすることを促す表示をしてもよい。原稿トレイ３００内に原稿３０１がセットされていれば、次のステップ（Ｓ１０３）に進む。
【００５２】
次に、制御部１１７は、操作部１１３などから原稿読取指示を受けているか否か確認する（Ｓ１０３）。原稿読取指示を受けていない場合には、一連のフローを終了する。この際、表示部１１５に、操作部１１３に設けられている複写スタートボタンを押すことを促す表示をしてもよい。原稿読取指示を受けていれば、次のステップ（Ｓ１０５）に進む。
【００５３】
次に、制御部１１７は、ＩＤ問合部２０１から無線タグ検出部１１８に信号を送信する。信号を受信した無線タグ検出部１１８は、ＲＦＩＤタグ４００を検出するための信号を符号化して、２．４５ＧＨｚ程度の電磁波を原稿３０１に対して放出する（Ｓ１０５）。電磁波を放出した無線タグ検出部１１８は、原稿３０１中のＲＦＩＤタグ４００の有無を判断するために、原稿３０１中のＲＦＩＤタグ４００から原稿３０１中のＲＦＩＤタグ４００の存在を示す信号が送信されるのを待ち受ける（Ｓ１０７）。
【００５４】
原稿３０１中のＲＦＩＤタグ４００は、２．４５ＧＨｚ程度の電磁波をアンテナ４０１で受信すると、整流回路４０３により電磁波を直流電流電圧に変換し、電源用コンデンサ４１９に電荷を蓄積する。電源用コンデンサ４１９から供給される電流により起動した制御部４０７は、受信した電磁波を変換した電気信号の符号をデコーダ４１５で複合化し、原稿３０１中のＲＦＩＤタグ４００の有無を問い合わせる信号であると判断すると、１０ｂｉｔ制御レジスタ４１３とクロック回路４１１とを利用して、原稿３０１中のＲＦＩＤタグ４００の存在を示す信号を生成し、デコーダ４１５（エンコーダ）により符号化する。制御部４０７は、この信号を整流回路４０３にて２．４５ＧＨｚ程度の電磁波に変換し、アンテナ４０１を介して無線タグ検出部１１８に送信する。
【００５５】
原稿３０１中のＲＦＩＤタグ４００から原稿３０１中のＲＦＩＤタグ４００の存在を示す信号を受信した無線タグ検出部１１８は、信号を複合化して、ＩＤ問合部２０１に、原稿３０１中のＲＦＩＤタグ４００の存在を示す信号を送信する。一定時間経過しても、原稿３０１中のＲＦＩＤタグ４００の存在を示す信号を受信しなかった無線タグ検出部１１８は、ＩＤ問合部２０１に原稿３０１中にＲＦＩＤタグ４００が存在しない旨の信号を送信する。
【００５６】
制御部１１７は、原稿３０１中にＲＦＩＤタグ４００が検出されない場合には、原稿読取部１１２に原稿３０１の原稿データを読み取るステップに進ませる（Ｓ１１５）。制御部１１７は、原稿３０１中にＲＦＩＤタグ４００が検出される場合には、ＩＤ問合部２０１から無線タグ読出部１１６に信号を送信する。信号を受信した無線タグ読出部１１６は、ＲＦＩＤタグ４００のＩＤデータを読み出すための信号を符号化し、２．４５ＧＨｚ程度の電磁波を原稿３０１に対して放出する（Ｓ１０９）。電磁波を放出した無線タグ読出部１１６は、原稿３０１中のＲＦＩＤタグ４００のＩＤデータを取得するために、原稿３０１中のＲＦＩＤタグ４００からＩＤデータを含む信号が送信されてくるのを待ち受ける。
【００５７】
原稿３０１中のＲＦＩＤタグ４００は、２．４５ＧＨｚ程度の電磁波をアンテナ４０１で受信すると、整流回路４０３により電磁波を直流電流電圧に変換し、電源用コンデンサ４１９に電荷を蓄積する。電源用コンデンサ４１９から供給される電流により起動した制御部４０７は、受信した電磁波を変換した電気信号の符号をデコーダ４１５で複合化し、原稿３０１中のＲＦＩＤタグ４００のＩＤデータを問い合わせる信号であると判断すると、１２８ｂｉｔＲＯＭのＩＤデータをデコーダ４１５（エンコーダ）で符号化し、１０ｂｉｔ制御レジスタ４１３とクロック回路４１１とを利用して、電気信号に変換する。制御部４０７は、この信号を整流回路４０３にて２．４５ＧＨｚ程度の電磁波に変換し、アンテナ４０１を介して無線タグ検出部１１８に送信する。
【００５８】
原稿３０１中のＲＦＩＤタグ４００から原稿３０１中のＲＦＩＤタグ４００のＩＤデータを含む信号を受信した無線タグ検出部１１８は、ＩＤデータを含む信号を複合化して、ＩＤ取得部２０３にＩＤデータを送信する。ＩＤデータを取得したＩＤ取得部２０３は、ＩＤデータを文書情報判断部２０７に送信し、ＩＤデータを取得した旨の信号をＩＤテーブル取得部２０５に送信する。
【００５９】
信号を受信したＩＤテーブル取得部２０５は、記憶装置１１９内を検索して、記憶装置１１９内にＩＤテーブルを見出した場合には、記憶装置１１９からＩＤテーブルを取得する。ＩＤテーブル取得部２０５は、記憶装置１１９内にＩＤテーブルがみあたらないときは、インターフェース部１２１およびネットワーク１４１を介して、複数のサーバ１４３内を検索して、いずれかのサーバ１４３内にＩＤテーブルを見出した場合には、サーバ１４３からＩＤテーブルを取得する。ＩＤテーブルを取得したＩＤテーブル取得部２０５は、ＩＤテーブルを文書情報判断部２０７に送信する。
【００６０】
ＩＤデータおよびＩＤテーブルを取得した文書情報判断部２０７は、ＩＤデータおよびＩＤテーブルを参照して、後述する図９に示すようなＩＤテーブル中から該当するＩＤデータを含むレコードを検索し、該レコード中のマスター文書管理情報カラムに含まれるセルにビットが立っている（マスター文書管理情報カラムに含まれるセルの値が１である、すなわち原稿がマスター文書である）か、ビットが立っていない（マスター文書管理情報カラムに含まれるセルの値が０である、すなわち原稿がマスター文書ではない）か判断する（Ｓ１１１）。いずれの判断の場合も、文書情報判断部２０７は、上記判断結果および対応する画像の番号を含む文書情報を画像処理部５００に送信する。
【００６１】
画像処理部５００は、判断結果（文書情報）を取得すると、いずれの判断の場合も、原稿読取部１１２に信号を送信する。原稿読取部１１２は、信号を受信すると、原稿３０１の表面を走査して原稿データを取得する（Ｓ１１３、Ｓ１１５）。原稿読取部１１２は、取得した原稿データを画像処理部５００に送信する。画像処理部５００の原稿データ取得部５０７は、原稿データを取得すると、原稿データを画像データ加工部５０５に送信する。
【００６２】
画像処理部５００の文書情報取得部５０１は、いずれの判断の場合も、取得した文書情報を画像データ加工部５０５に送信する。文書情報取得部５０１は、原稿がマスター文書（原本）であるという判断を取得した場合には、付加画像データ取得部５０３に信号を送信する。
【００６３】
信号を受信した付加画像データ取得部５０３は記憶装置１１９内を検索して、記憶装置１１９内に複写である旨を示す画像データを見出した場合には、記憶装置１１９から複写である旨を示す画像データを取得する。なお、付加画像データ取得部５０３は、記憶装置１１９内に複写である旨を示す画像データがみあたらないときは、インターフェース部１２１およびネットワーク１４１を介して、複数のサーバ１４３内を検索して、いずれかのサーバ１４３内に複写である旨を示す画像データを見出した場合には、サーバ１４３から複写である旨を示す画像データを取得する。複写である旨を示す画像データを取得した付加画像データ取得部５０３は、複写である旨を示す画像データを画像データ加工部５０５に送信する。
【００６４】
画像データ加工部５０５は、原稿データおよび文書情報を取得すると、文書情報に含まれる上記判断結果がマスター文書であるという判断結果である場合には、付加画像データ取得部５０３から取得した複写である旨を示す画像データを原稿データに付加することにより、出力データを作成する（Ｓ１１７）。画像データ加工部５０５は、作成した出力データをプリンタ１１４に出力する。
【００６５】
一方、画像データ加工部５０５は、原稿データおよび文書情報を取得すると、文書情報に含まれる上記判断結果がマスター文書ではないという判断結果である場合には、原稿データに複写である旨を示す画像データを付加することなく、原稿データをそのまま出力データとし、出力データを作成した出力データをプリンタ１１４に出力する。
【００６６】
プリンタ１１４は、出力データを取得すると、出力データに基づいて、給紙トレイ中の用紙に出力データに対応する画像をプリントする（Ｓ１１９）。
【００６７】
図８は、複製原稿の印刷面を説明するための平面図である。
上記判断結果がマスター文書であるという判断結果である場合には、プリンタ１１４は、図８（ａ）または図８（ｂ）に示すように、複製前の原稿画像に複製である旨を示す「複製」という文字からなる画像データまたは「秘」という透かした文字からなる画像データ８０３などを付加してなる画像からなる複製原稿８０１をプリントする。一方、上記判断結果がマスター文書でないという判断結果である場合には、プリンタ１１４は、複製前の原稿画像と同じ画像からなる複製原稿をプリントする。なお、図８（ｃ）および図８（ｄ）については後述する。
【００６８】
図９は、ＩＤテーブルのデータ構造を説明するための概念図である。
文書情報判断部２０７が、ＩＤデータおよびＩＤテーブルを参照する際には、例えば、図９（ａ）に示すようなデータ構造からなるＩＤテーブルを用いる。そして、文書情報判断部２０７は、ＩＤデータが１である場合には、ＩＤデータのカラム（ＩＤと表示）の値が１のセルを含むレコードを検索する。次いで、文書情報判断部２０７は、検索したレコードのマスター文書管理情報のカラム（マスターと表示）に含まれるセルの値が１である（セットされている原稿がマスター文書であることを意味する）ことを判断する。一方、文書情報判断部２０７は、ＩＤデータが２である場合には、ＩＤデータのカラム（ＩＤと表示）の値が２のセルを含むレコードを検索する。次いで、文書情報判断部２０７は、検索したレコードのマスター文書管理情報のカラム（マスターと表示）に含まれるセルの値が０である（セットされている原稿がマスター文書でないことを意味する）ことを判断する。なお、図９（ｂ）については後述する。
【００６９】
以下、本実施形態の画像処理装置の作用効果について説明する。
本実施形態の画像処理装置１１０によれば、原本である複製前の原稿３０１と、複製物である複製原稿とを容易に区別することができ、原稿の複製管理が容易になる。すなわち、画像処理装置１１０によれば、無線タグ読出部１１６が読み出したＩＤデータを参照することにより、原稿トレイ３００にセットされている複製前の原稿３０１がマスター文書であるか否か容易に判別できる。このため、原稿トレイ３００にセットされている複製前の原稿３０１がマスター文書である場合には、複製前の原稿３０１の原稿データに複製である旨を示す画像データを付加して出力することができる。その結果、画像処理装置１１０のオペレータは、複製原稿を肉眼で観察することにより、複製原稿がマスター文書の複製であるか否か容易に判別することができる。よって、画像処理装置１１０によれば、原稿３０１の複製管理が容易になる。
【００７０】
また、本実施形態の画像処理装置１１０によれば、複製前の原稿３０１への印刷の自由度を向上することができる。すなわち、画像処理装置１１０は、ＲＦＩＤタグ４００に記憶されているＩＤデータを無線通信により読み出す無線タグ読出部１１６を備えるため、複製前の原稿３０１の紙面には本来不要な識別情報を印刷する必要がない。このため、複製前の原稿３０１の紙面には自由に文字や図形などを印刷することができる。よって、画像処理装置１１０によれば、印刷の自由度を向上することができる。
【００７１】
また、本実施形態の画像処理装置１１０によれば、原本である複製前の原稿３０１と、複製物である複製原稿とを安定して区別することができ、原稿３０１の複製管理の安定性を向上できる。すなわち、画像処理装置１１０によれば、ＲＦＩＤタグ４００を用いるため、複製前の原稿３０１の紙面に汚れが付着しても、無線タグ読出部１１６が複製前の原稿３０１中のＲＦＩＤタグ４００からＩＤデータを読み出す効率の低下は少ない。このため、無線タグ読出部１１６は、複製前の原稿３０１中のＲＦＩＤタグ４００のＩＤデータを安定して読み出すことができる。よって、画像処理装置１１０によれば、原稿３０１の複製管理の安定性を向上できる。
【００７２】
また、本実施形態の画像処理装置１１０によれば、複数枚の原稿３０１をセットした場合にも、読取中の原稿３０１のＩＤデータを容易に判別することができる。すなわち、画像処理装置１１０は、複数の原稿３０１を格納可能に構成されている原稿トレイ３００を備える。このため、画像処理装置１１０は、複数の原稿３０１のＲＦＩＤタグ４００のＩＤデータをあらかじめ読み取んでおき、あらかじめ対応する複数の画像データをメモリ内にロードして準備するなどして、複数の原稿３０１の処理を迅速化することができる。また、原稿トレイ３００に設けられている無線タグ検出部１１８は、原稿トレイ３００内から原稿読取部１１２に移送された原稿３０１のＲＦＩＤタグ４００を検出しなくなる。すなわち、検出されなくなったＩＤデータが読み取り中の原稿３０１のＩＤデータを意味することになる。このため、検出されなくなったＲＦＩＤタグ４００のＩＤデータにより、原稿読取部１１２にて読取中の原稿３０１のＩＤデータを容易に判別することができる。よって、画像処理装置１１０は、複数枚の原稿３０１をセットした場合にも、読取中の原稿３０１のＩＤデータを容易に判別することができる。
【００７３】
<実施形態２>
本実施形態に係る画像処理装置は、実施形態１に係る画像処理装置と基本的に同様の構成を備え、同様の動作を行う。なお、本実施形態に係る画像処理装置は、以下のように実施形態１に係る画像処理装置とは、一部異なる動作を行う。
【００７４】
図７は、実施の形態に係る画像処理装置の動作を説明するためのフローチャートである。
オペレータが画像処理装置１１０の原稿トレイ３００内に原稿３０１をセットし、操作部１１３に設けられている複写スタートボタンを押すと、一連のフローがスタートする。まず、制御部１１７が原稿トレイ３００内に原稿３０１がセットされているか、センサなどを介して確認する（Ｓ２０１）。原稿トレイ３００内に原稿３０１がセットされていない場合には、一連のフローを終了する。この際、表示部１１５に、原稿トレイ３００内に原稿３０１をセットすることを促す表示をしてもよい。原稿トレイ３００内に原稿３０１がセットされていれば、次のステップ（Ｓ２０３）に進む。
【００７５】
次に、制御部１１７は、操作部１１３などから原稿読取指示を受けているか否か確認する（Ｓ２０３）。原稿読取指示を受けていない場合には、一連のフローを終了する。この際、表示部１１５に、操作部１１３に設けられている複写スタートボタンを押すことを促す表示をしてもよい。原稿読取指示を受けていれば、次のステップ（Ｓ２０５）に進む。
【００７６】
次に、制御部１１７は、ＩＤ問合部２０１から無線タグ検出部１１８に信号を送信する。信号を受信した無線タグ検出部１１８は、ＲＦＩＤタグ４００を検出するための信号を符号化して、２．４５ＧＨｚ程度の電磁波を原稿３０１に対して放出する（Ｓ２０５）。電磁波を放出した無線タグ検出部１１８は、原稿３０１中のＲＦＩＤタグ４００の有無を判断するために、原稿３０１中のＲＦＩＤタグ４００から原稿３０１中のＲＦＩＤタグ４００の存在を示す信号が送信されるのを待ち受ける（Ｓ２０７）。
【００７７】
原稿３０１中のＲＦＩＤタグ４００は、２．４５ＧＨｚ程度の電磁波をアンテナ４０１で受信すると、整流回路４０３により電磁波を直流電流電圧に変換し、電源用コンデンサ４１９に電荷を蓄積する。電源用コンデンサ４１９から供給される電流により起動した制御部４０７は、受信した電磁波を変換した電気信号の符号をデコーダ４１５で複合化し、原稿３０１中のＲＦＩＤタグ４００の有無を問い合わせる信号であると判断すると、１０ｂｉｔ制御レジスタ４１３とクロック回路４１１とを利用して、原稿３０１中のＲＦＩＤタグ４００の存在を示す信号を生成し、デコーダ４１５（エンコーダ）により符号化する。制御部４０７は、この信号を整流回路４０３にて２．４５ＧＨｚ程度の電磁波に変換し、アンテナ４０１を介して無線タグ検出部１１８に送信する。
【００７８】
原稿３０１中のＲＦＩＤタグ４００から原稿３０１中のＲＦＩＤタグ４００の存在を示す信号を受信した無線タグ検出部１１８は、信号を複合化して、ＩＤ問合部２０１に、原稿３０１中のＲＦＩＤタグ４００の存在を示す信号を送信する。一定時間経過しても、原稿３０１中のＲＦＩＤタグ４００の存在を示す信号を受信しなかった無線タグ検出部１１８は、ＩＤ問合部２０１に原稿３０１中にＲＦＩＤタグ４００が存在しない旨の信号を送信する。
【００７９】
制御部１１７は、原稿３０１中にＲＦＩＤタグ４００が検出されない場合には、原稿読取部１１２に原稿３０１の原稿データを読み取るステップに進ませる（Ｓ２１９）。制御部１１７は、原稿３０１中にＲＦＩＤタグ４００が検出される場合には、ＩＤ問合部２０１から無線タグ読出部１１６に信号を送信する。信号を受信した無線タグ読出部１１６は、ＲＦＩＤタグ４００のＩＤデータを読み出すための信号を符号化し、２．４５ＧＨｚ程度の電磁波を原稿３０１に対して放出する（Ｓ２０９）。電磁波を放出した無線タグ読出部１１６は、原稿３０１中のＲＦＩＤタグ４００のＩＤデータを取得するために、原稿３０１中のＲＦＩＤタグ４００からＩＤデータを含む信号が送信されてくるのを待ち受ける。
【００８０】
原稿３０１中のＲＦＩＤタグ４００は、２．４５ＧＨｚ程度の電磁波をアンテナ４０１で受信すると、整流回路４０３により電磁波を直流電流電圧に変換し、電源用コンデンサ４１９に電荷を蓄積する。電源用コンデンサ４１９から供給される電流により起動した制御部４０７は、受信した電磁波を変換した電気信号の符号をデコーダ４１５で複合化し、原稿３０１中のＲＦＩＤタグ４００のＩＤデータを問い合わせる信号であると判断すると、１２８ｂｉｔＲＯＭのＩＤデータをデコーダ４１５（エンコーダ）で符号化し、１０ｂｉｔ制御レジスタ４１３とクロック回路４１１とを利用して、電気信号に変換する。制御部４０７は、この信号を整流回路４０３にて２．４５ＧＨｚ程度の電磁波に変換し、アンテナ４０１を介して無線タグ検出部１１８に送信する。
【００８１】
原稿３０１中のＲＦＩＤタグ４００から原稿３０１中のＲＦＩＤタグ４００のＩＤデータを含む信号を受信した無線タグ検出部１１８は、ＩＤデータを含む信号を複合化して、ＩＤ取得部２０３にＩＤデータを送信する。ＩＤデータを取得したＩＤ取得部２０３は、ＩＤデータを文書情報判断部２０７に送信し、ＩＤデータを取得した旨の信号をＩＤテーブル取得部２０５に送信する。
【００８２】
信号を受信したＩＤテーブル取得部２０５は、記憶装置１１９内を検索して、記憶装置１１９内にＩＤテーブルを見出した場合には、記憶装置１１９からＩＤテーブルを取得する。ＩＤテーブル取得部２０５は、記憶装置１１９内にＩＤテーブルがみあたらないときは、インターフェース部１２１およびネットワーク１４１を介して、複数のサーバ１４３内を検索して、いずれかのサーバ１４３内にＩＤテーブルを見出した場合には、サーバ１４３からＩＤテーブルを取得する。ＩＤテーブルを取得したＩＤテーブル取得部２０５は、ＩＤテーブルを文書情報判断部２０７に送信する。
【００８３】
ＩＤデータおよびＩＤテーブルを取得した文書情報判断部２０７は、ＩＤデータおよびＩＤテーブルを参照して、後述する図９に示すようなＩＤテーブル中から該当するＩＤデータを含むレコードを検索し、該レコード中の技術秘密カラム、営業秘密カラム、個人秘密カラムのいずれに含まれるセルにビットが立っている（技術秘密カラム、営業秘密カラム、個人秘密カラムのいずれに含まれるセルの値が１である）か、またはこれらのいずれのカラムにのセルにもビットが立っていない（技術秘密カラム、営業秘密カラム、個人秘密カラムのいずれに含まれるセルの値も０である）か判断する（Ｓ２１１）。いずれの判断の場合も、文書情報判断部２０７は、上記判断結果および対応する画像の番号を含む文書情報を画像処理部５００に送信する。
【００８４】
画像処理部５００は、判断結果（文書情報）を取得すると、いずれの判断の場合も、原稿読取部１１２に信号を送信する。原稿読取部１１２は、信号を受信すると、原稿３０１の表面を走査して原稿データを取得する（Ｓ２１３、Ｓ２１５、２１７）。原稿読取部１１２は、取得した原稿データを画像処理部５００に送信する。画像処理部５００の原稿データ取得部５０７は、原稿データを取得すると、原稿データを画像データ加工部５０５に送信する。
【００８５】
画像処理部５００の文書情報取得部５０１は、いずれの判断の場合も、取得した文書情報を画像データ加工部５０５およびセキュリティ処理部５０２に送信する。また、文書情報取得部５０１は、原稿が技術秘密文書、営業秘密文書、個人秘密文書のいずれか（機密文書）であるという判断を取得した場合には、付加画像データ取得部５０３に文書情報を送信する。
【００８６】
文書情報を取得した付加画像データ取得部５０３は記憶装置１１９内を検索して、記憶装置１１９内に文書情報に含まれる画像の番号に対応する画像データを見出した場合には、記憶装置１１９から対応する画像データを取得する。なお、付加画像データ取得部５０３は、記憶装置１１９内に対応する画像データがみあたらないときは、インターフェース部１２１およびネットワーク１４１を介して、複数のサーバ１４３内を検索して、いずれかのサーバ１４３内に対応する画像データを見出した場合には、サーバ１４３から対応する画像データを取得する対応する画像データを取得した付加画像データ取得部５０３は、対応する画像データを画像データ加工部５０５に送信する。
【００８７】
画像データ加工部５０５は、原稿データおよび文書情報を取得すると、文書情報に含まれる上記判断結果が機密文書であるという判断結果である場合には、付加画像データ取得部５０３から取得した対応する画像データを原稿データに付加することにより、出力データを作成する。
【００８８】
すなわち、画像データ加工部５０５は、技術秘密である原稿の場合には、原稿データに技術秘密である旨を示す画像データを付加する（Ｓ２２１）。また、営業秘密である原稿の場合には、原稿データに営業秘密である旨を示す画像データを付加する（Ｓ２２３）。また、個人秘密である原稿の場合には、原稿データに個人秘密である旨を示す画像データを付加する（Ｓ２２５）。画像データ加工部５０５は、作成した出力データおよび文書情報をセキュリティ処理部５０２に送信する。
【００８９】
一方、画像データ加工部５０５は、原稿データおよび文書情報を取得すると、文書情報に含まれる上記判断結果が機密文書ではないという判断結果である場合には、原稿データに画像データを付加することなく、原稿データをそのまま出力データとし、出力データおよび文書情報をセキュリティ処理部５０２に送信する。
【００９０】
セキュリティ処理部５０２中のセキュリティ判断部５０９は、出力データおよび文書情報を取得すると、セキュリティデータ取得部５１３に文書情報を送信する。文書情報を受信したセキュリティデータ取得部５１３は、記憶装置１１９内を検索して、記憶装置１１９内に文書情報に含まれる機密情報の種類（技術秘密、営業秘密、個人秘密）に対応する機密情報の更新セキュリティデータを見出した場合には、記憶装置１１９から対応する更新セキュリティデータを取得する。なお、セキュリティデータ取得部５１３は、記憶装置１１９内に対応する更新セキュリティデータがみあたらないときは、インターフェース部１２１およびネットワーク１４１を介して、複数のサーバ１４３内を検索して、いずれかのサーバ１４３内に対応する更新セキュリティデータを見出した場合には、サーバ１４３から対応する更新セキュリティデータを取得する。対応する更新セキュリティデータを取得したセキュリティデータ取得部５１３は、対応する更新セキュリティデータをセキュリティ判断部５０９に送信する。
【００９１】
セキュリティ判断部５０９は、対応する更新セキュリティデータを取得すると、文書情報に含まれるＩＤテーブルのうち、出力可のカラム内の対応するセルのデータを、更新セキュリティデータの内容に応じて書き換える（更新する）。例えば、災害が発生したり、不審者の侵入警報が発令された場合などは、更新セキュリティデータの内容に応じて、通常は出力可（セルの値が１）であるすべての機密情報が出力不可（セルの値が０）に書き換えられる。そして、セキュリティ判断部５０９は、書き換えたＩＤテーブルを含む文書情報および出力データを出力判断部５１１に送信する。
【００９２】
出力判断部５１１は、文書情報および出力データを取得すると、文書情報に含まれるＩＤテーブルのうちＩＤデータの値に対応するレコードの出力可カラムに含まれるセルの値を検索する（ＩＤは複写禁止文書に対応するか判断する）（Ｓ２２７）。出力判断部５１１は、検索したセルの値が１である（複写禁止ではない）場合には、出力データをプリンタ１１４に送信する。
【００９３】
プリンタ１１４は、出力データを取得すると、出力データに基づいて、給紙トレイ中の用紙に出力データに対応する画像をプリントする（Ｓ２２９）。その後、出力判断部５１１は、制御部１１７内から出力データを消去する（Ｓ２３１）。
【００９４】
一方、出力判断部５１１は、検索したセルの値が０である（複写禁止である）場合には、出力データをプリンタ１１４に送信せず、制御部１１７内から出力データを消去する（Ｓ２３１）。
【００９５】
図８は、複製原稿の印刷面を説明するための平面図である。
上記判断結果が営業秘密文書であるという判断結果である場合には、プリンタ１１４は、図８（ｃ）に示すように、複製前の原稿画像に営業秘密である旨を示す「営業秘密」という文字からなる画像データなどを付加してなる画像からなる複製原稿をプリントする。一方、上記判断結果が機密文書でないという判断結果である場合には、プリンタ１１４は、複製前の原稿画像と同じ画像からなる複製原稿をプリントする。なお、図８（ｄ）については後述する。
【００９６】
図９は、ＩＤテーブルのデータ構造を説明するための概念図である。
文書情報判断部２０７が、ＩＤデータおよびＩＤテーブルを参照する際には、例えば、図９（ａ）に示すようなデータ構造からなるＩＤテーブルを用いる。そして、文書情報判断部２０７は、ＩＤデータが３である場合には、ＩＤデータのカラム（ＩＤと表示）の値が３のセルを含むレコードを検索する。次いで、文書情報判断部２０７は、検索したレコードの営業秘密のカラム（営業と表示）に含まれるセルの値が１である（セットされている原稿が営業秘密文書であることを意味する）ことを判断する。一方、文書情報判断部２０７は、ＩＤデータが４である場合には、ＩＤデータのカラム（ＩＤと表示）の値が４のセルを含むレコードを検索する。次いで、文書情報判断部２０７は、検索したレコードのマ個人秘密のカラム（個人と表示）に含まれるセルの値が１である（セットされている原稿が個人秘密文書であることを意味する）ことを判断する。
【００９７】
なお、図９（ｂ）に示すように、セットされている原稿が技術秘密文書である場合には、対応する画像データは、例えば、画像タイプ１のような画像データを用いることができる。また、セットされている原稿が営業秘密文書である場合には、対応する画像データは、例えば、画像タイプ２のような画像データを用いることができる。また、セットされている原稿が個人秘密文書である場合には、対応する画像データは、例えば、画像タイプ３のような画像データを用いることができる。
【００９８】
出力判断部５１１が、ＩＤデータおよび更新されたＩＤテーブルを参照する際には、例えば、図９（ａ）に示すようなデータ構造からなる更新されたＩＤテーブルを用いる。そして、出力判断部５１１は、ＩＤデータが３である場合には、ＩＤデータのカラム（ＩＤと表示）の値が３のセルを含むレコードを検索する。次いで、出力判断部５１１は、検索したレコードの出力可否のカラム（出力可と表示）に含まれるセルの値が０である（出力データが出力不可であることを意味する）ことを判断する。一方、出力判断部５１１は、ＩＤデータが４である場合には、ＩＤデータのカラム（ＩＤと表示）の値が４のセルを含むレコードを検索する。次いで、出力判断部５１１は、検索したレコードの出力可否のカラム（出力可と表示）に含まれるセルの値が１である（出力データが出力可であることを意味する）ことを判断する。
【００９９】
以下、本実施形態の画像処理装置の作用効果について説明する。本実施形態の画像処理装置は、実施形態１に係る画像処理装置と同様の作用効果にくわえて、以下の作用効果を奏する。
【０１００】
すなわち、本実施形態の画像処理装置１１０は、複製前の原稿３０１のセキュリティの種類に応じて加工された複製原稿を出力できる。すなわち、画像処理装置１１０は、無線タグ読出部１１６が読み出したＩＤデータを参照することにより、読み取まれた複製前の原稿３０１の種類を容易に判別できる。このため、画像処理装置１１０は、読み取まれた複製前の原稿３０１の原稿データに複製前の原稿３０１の種類に対応する画像データを付加して出力することができる。よって、画像処理装置１１０は、複製前の原稿３０１のセキュリティの種類に応じて加工された複製原稿を出力できる。
【０１０１】
また、本実施形態の画像処理装置１１０は、セキュリティ状況の変化への即応性を向上できる。すなわち、画像処理装置１１０は、状況の変化に応じて更新されるセキュリティデータを反映して、セキュリティ処理部５０２により、複製原稿の出力の可否を判断できる。このため、画像処理装置１１０は、セキュリティ状況の変化に応じて、複製原稿の出力状況をコントロールできる。よって、画像処理装置１１０は、セキュリティ状況の変化への即応性を向上できる。
【０１０２】
以上、図面を参照して本発明の実施形態について述べたが、これらは本発明の例示であり、上記以外の様々な構成を採用することもできる。
【０１０３】
たとえば、上記の実施形態では、ＩＤテーブルを用いてセットされた原稿のマスター文書管理情報の内容を判断したが、特に限定する趣旨ではない。例えば、１２８ビットからなるＩＤデータの所定の領域のビットが立っているかどうかを判断することにより、セットされた原稿のマスター文書管理情報の内容を判断してもよい。
【０１０４】
上記の実施形態では、マスター文書管理情報無しの場合、読み取んだ原稿データをそのまま出力データとしたが、特に限定する趣旨ではない。例えば、マスター文書管理情報無しの場合、あるいはマスター文書管理情報の有無にかかわらず、読み取んだ原稿データに、図８（ｄ）のように原稿の作成部署や作成時期の識別情報画像を付加してもよい。
【０１０５】
上記の実施形態では、原稿トレイ３００の構造は、特に限定されず、ＦＢＳであってもよく、ＡＤＦであってもよい。ＡＤＦの場合、無線タグ情報は、原稿をセットした状態または原稿搬送中のいずれの状態で読み取ってもよい。また、ＡＤＦの場合において、複数枚のタグ付原稿からなる原稿束をセットしたとき、原稿トレイ３００の構造は、セットした状態（１枚ずつ分離する前）で全タグ情報を区別して認識することができるように構成してもよい。あるいは、ＡＤＦの場合において、複数枚のタグ付原稿からなる原稿束をセットしたとき、原稿トレイ３００の構造は、１枚ずつ分離した後に、個々のタグ付原稿のタグ情報を区別して認識することができるように構成してもよい。
【０１０６】
なお、上記の実施形態では、出力データをプリンタ１１４により印刷することとしたが、特に限定する趣旨ではない。例えば、出力データを通信部１１１を介して、別のＦＡＸ端末１３１に送信し、別のＦＡＸ端末１３１にて印刷してもよい。
【図面の簡単な説明】
【０１０７】
【図１】実施の形態に係る画像処理装置の構成を模式的に示した機能ブロック図である。
【図２】実施の形態に係る画像処理装置の制御部の構成を模式的に示した機能ブロック図である。
【図３】実施の形態に係る画像処理装置の原稿トレイの構成を模式的に示した概念図である。
【図４】実施の形態に用いるＲＦＩＤタグの構成を模式的に示した機能ブロック図である。
【図５】実施の形態に係る画像処理装置の画像処理部およびセキュリティ処理部の構成を模式的に示した機能ブロック図である。
【図６】実施の形態に係る画像処理装置の動作を説明するためのフローチャートである。
【図７】実施の形態に係る画像処理装置の動作を説明するためのフローチャートである。
【図８】複製原稿の印刷面を説明するための平面図である。
【図９】ＩＤテーブルのデータ構造を説明するための概念図である。
【図１０】従来公知の画像処理装置の概略構成を示す機能ブロック図である。
【図１１】従来公知の印刷物認証システムの全体構成を示す機能ブロック図である。
【符号の説明】
【０１０８】
１  印刷物認証システム
２  識別情報埋め込み装置
３  識別情報認識装置
４  識別情報抽出装置
５  識別情報照合装置
１１  画像入力部
１２  識別情報埋め込み部
１３  カラー画像出力部
１００  画像処理システム
１０１  イメージスキャナ
１０２  画像処理回路
１０３  レーザプリンタ
１０４  識別情報発生手段
１０５  識別情報付加手段
１１０  画像処理装置
１１１  通信部
１１２  原稿読取部
１１３  操作部
１１４  プリンタ
１１５  表示部
１１６  無線タグ読出部
１１７  制御部
１１８  無線タグ検出部
１１９  記憶装置
１２１  インターフェース部
１３１  ＦＡＸ端末
１３３  Ｅ−ｍａｉｌ端末
１３５  Ｉ−ＦＡＸ端末
１４１  ネットワーク
１４３  サーバ
２０１  ＩＤ問合部
２０３  ＩＤ取得部
２０５  ＩＤテーブル取得部
２０７  文書情報判断部
３００  原稿トレイ
３０１  原稿
４００  ＲＦＩＤタグ
４０１  アンテナ
４０３  整流回路
４０５  電圧リミッタ
４０７  制御部
４０９  パワーＯＮリセット回路
４１１  クロック回路
４１３  １０ｂｉｔ制御レジスタ
４１５  デコーダ
４１７  １２８ｂｉｔＲＯＭ
４１９  電源用コンデンサ
５００  画像処理部
５０１  文書情報取得部
５０２  セキュリティ処理部
５０３  付加画像データ取得部
５０５  画像データ加工部
５０７  原稿データ取得部
５０９  セキュリティ判断部
５１１  出力判断部
５１３  セキュリティデータ取得部
８０１  複製原稿
８０３  画像データ
【図１】
2006115135.tif 000003
【図２】
2006115135.tif 000004
【図３】
2006115135.tif 000005
【図４】
2006115135.tif 000006
【図５】
2006115135.tif 000007
【図６】
2006115135.tif 000008
【図７】
2006115135.tif 000009
【図８】
2006115135.tif 000010
【図９】
2006115135.tif 000011
【図１０】
2006115135.tif 000012
【図１１】
2006115135.tif 000013